【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
物体の中間像を形成する第１の反射屈折群と、前記中間像に基づいて前記物体の像を形成する第２の反射屈折群及びレンズ群と、を備え、
前記第１の反射屈折群は、物体側面及び像側面を有する単一の固体レンズからなり、
前記レンズ群は、視野レンズ群及び屈折群を含み、
前記物体側面は、光軸側から周辺側に向けて順に入射面と物体側反射面とを含み、
前記像側面は、光軸側から周辺側に向けて順に射出面と像側反射面とを含み、
前記物体からの光束は、前記入射面から前記固体レンズの内部に入射し、前記像側反射面及び前記物体側反射面により４回以上反射されて、前記射出面から射出されており、
前記第１の反射屈折群は、正の屈折力を有し、外向きペッツヴァル湾曲を発生させ、
前記第２の反射屈折群は、正の屈折力を有し、外向きペッツヴァル湾曲を発生させ、補正過多の軸上色収差を発生させ、
前記視野レンズ群は、正の屈折力を有し、内向きペッツヴァル湾曲を発生させ、補正過多の軸上色収差を発生させ、
前記屈折群は、正の屈折力を有し、外向きペッツヴァル湾曲を発生させ、補正不足の軸上色収差を発生させることを特徴とする反射屈折光学系。
【請求項２】
前記第１の反射屈折群と前記第２の反射屈折群との間には、屈折率が１よりも大きい物質が配置されていることを特徴とする請求項１記載の反射屈折光学系。
【請求項３】
前記入射面に入射した光束は、前記射出面を通って射出する前に、前記像側反射面で第１の反射を受け、前記物体側反射面で第２の反射を受け、前記像側反射面で第３の反射を受け、且つ、前記物体側反射面で第４の反射を受けることを特徴とする請求項１又は２に記載の反射屈折光学系。
【請求項４】
前記像側面に形成された前記像側反射面の曲率半径をＲ１とし、前記物体側面に形成された前記物体側反射面の曲率半径をＲ２とし、且つ、前記像側面に形成された前記像側反射面の母線と前記物体側面に形成された前記物体側反射面の母線との間の前記光軸に沿った距離をＴとすると、以下の条件
2014153719.tif 000001
を満たすことを特徴とする請求項３に記載の反射屈折光学系。
【請求項５】
前記入射面に入射した光束は、前記射出面を通って射出する前に、前記像側反射面で第１の反射を受け、前記物体側反射面で第２の反射を受け、前記像側反射面で第３の反射を受け、前記物体側反射面で第４の反射を受け、前記像側反射面で第５の反射を受け、且つ、前記物体側反射面で第６の反射を受けることを特徴とする請求項１又は２に記載の反射屈折光学系。
【請求項６】
前記像側面に形成された前記像側反射面の曲率半径をＲ１とし、前記物体側面に形成された前記物体側反射面の曲率半径をＲ２とし、且つ、前記像側面に形成された前記像側反射面の母線と前記物体側面に形成された前記物体側反射面の母線との間の前記光軸に沿った距離をＴとすると、以下の条件
2014153719.tif 000002
を満たすことを特徴とする請求項５に記載の反射屈折光学系。
【請求項７】
前記入射面に入射した光束は、前記射出面を通って射出する前に、前記像側反射面で第１の反射を受け、前記物体側反射面で第２の反射を受け、前記像側反射面で第３の反射を受け、前記物体側反射面で第４の反射を受け、前記像側反射面で第５の反射を受け、前記物体側反射面で第６の反射を受け、前記像側反射面で第７の反射を受け、且つ、前記物体側反射面で第８の反射を受けることを特徴とする請求項１又は２に記載の反射屈折光学系。
【請求項８】
前記像側面に形成された前記像側反射面の曲率半径をＲ１とし、前記物体側面に形成された前記物体側反射面の曲率半径をＲ２とし、且つ、前記像側面に形成された前記像側反射面の母線と前記物体側面に形成された前記物体側反射面の母線との間の前記光軸に沿った距離をＴとすると、以下の条件
2014153719.tif 000003
を満たすことを特徴とする請求項７に記載の反射屈折光学系。
【請求項９】
前記像側反射面は、前記射出面から前記固体レンズの縁部まで続く連続した位相プロファイルを有し、
前記像側反射面及び前記物体側反射面のそれぞれは、反射膜を含むことを特徴とする請求項１乃至８のうちいずれか１項に記載の反射屈折光学系。
【請求項１０】
前記第２の反射屈折群は、前記像側に位置する第１のミラーと、前記物体側に位置する第２のミラーとを含み、
前記第１のミラーは、前記光軸に沿った中心を有する射出瞳を備える凹面反射面を含み、
前記第２のミラーは、前記光軸に沿った中心を有する入射瞳を備える凸面反射面を含むことを特徴とする請求項１乃至９のうちいずれか１項に記載の反射屈折光学系。
【請求項１１】
前記第１のミラーは、前記像側面を前記凹面反射面として有する第１のマンジャンミラーであり、
前記第２のミラーは、前記像側面を前記凸面反射面として有する第２のマンジャンミラーであることを特徴とする請求項１０に記載の反射屈折光学系。
【請求項１２】
前記第１の反射屈折群は、物体面に配置された物体の第１の中間像を第１の中間像面に形成し、
前記第２の反射屈折群及び前記レンズ群は、前記第１の中間像に基づいて、前記物体の最終像を像面に形成し、
前記第２の反射屈折群は、少なくとも１つのマンジャンミラーを含み、且つ、第３の光学群は、複数のレンズを含むことを特徴とする請求項１乃至１１のうちいずれか１項に記載の反射屈折光学系。
【請求項１３】
前記第１の反射屈折群は、物体面に配置された物体の第１の中間像を第１の中間像面に形成し、
前記第２の反射屈折群及び前記視野レンズ群は、前記第１の中間像に基づいて、第２の中間像を第２の中間像面に形成し、
前記屈折群は、前記第２の中間像を拡大し、且つ、前記拡大された第２の中間像に基づいて、前記物体の最終像を像面に形成し、
前記第２の反射屈折群は、少なくとも１つのマンジャンミラーを含み、且つ、前記視野レンズ群及び前記屈折群のそれぞれは、複数のレンズを含むことを特徴とする請求項１乃至１１のうちいずれか１項に記載の反射屈折光学系。
【手続補正２】
【補正対象書類名】明細書
【補正対象項目名】００１１
【補正方法】変更
【補正の内容】
【００１１】
本発明の１つの側面によれば、反射屈折光学系は、物体の中間像を形成する第１の反射屈折群と、前記中間像に基づいて前記物体の像を形成する第２の反射屈折群及びレンズ群と、を備え、前記第１の反射屈折群は、物体側面及び像側面を有する単一の固体レンズからなり、前記レンズ群は、視野レンズ群及び屈折群を含み、前記物体側面は、光軸側から周辺側に向けて順に入射面と物体側反射面とを含み、前記像側面は、光軸側から周辺側に向けて順に射出面と像側反射面とを含み、前記物体からの光束は、前記入射面から前記固体レンズの内部に入射し、前記像側反射面及び前記物体側反射面により４回以上反射されて、前記射出面から射出されており、前記第１の反射屈折群は、正の屈折力を有し、外向きペッツヴァル湾曲を発生させ、前記第２の反射屈折群は、正の屈折力を有し、外向きペッツヴァル湾曲を発生させ、補正過多の軸上色収差を発生させ、前記視野レンズ群は、正の屈折力を有し、内向きペッツヴァル湾曲を発生させ、補正過多の軸上色収差を発生させ、前記屈折群は、正の屈折力を有し、外向きペッツヴァル湾曲を発生させ、補正不足の軸上色収差を発生させることを特徴とする。